(57)【要約】【課題】快適なランニングのフォームを導くことができる運動用衣服を提供する。【解決手段】本発明の運動用衣服１０は、身体にほぼ密着した状態で着用される運動用衣服であり、運動用衣服１０は、少なくとも足首から膝下までを被覆する部分を有し、伸縮性を有する生地で構成されており、運動用衣服１０は、緊締力の強い緊締部を有し、前記緊締部が、膝内側部から脹脛内側を通り、内果にかけて、膝蓋骨を含まず、膝の内側、脛骨の遠位１／２〜２／３及び足根骨内側を含む領域に配置された緊締部Ｚを含む。【選択図】図１
2012127038.tif 000002
【特許請求の範囲】
【請求項１】
身体にほぼ密着した状態で着用される運動用衣服であり、
前記運動用衣服は、少なくとも足首から膝下までを被覆する部分を有し、伸縮性を有する生地で構成されており、
前記運動用衣服は、緊締力の強い緊締部を有し、
前記緊締部が、膝内側部から脹脛内側を通り、内果にかけて、膝蓋骨を含まず、膝の内側、脛骨の遠位１／２〜２／３及び足根骨内側を含む領域に配置された緊締部Ｚを含むことを特徴とする運動用衣服。
【請求項２】
前記緊締部を構成する生地の身体の長軸方向における伸長率が、前記緊締部を除くその他の部位を構成する生地の身体の長軸方向における伸長率より５０％以上低い請求項１に記載の運動用衣服。
【請求項３】
前記緊締部を構成する生地の身体の長軸方向における伸長率が１０〜１２０％である請求項１又は２に記載の運動用衣服。
【請求項４】
前記運動用衣服は、足首から腰部までを覆うように形成された下半身部を有し、
前記緊締部が、さらに臀部下辺部に沿って大腿外側部と大腿前面部の近位１／３を含む領域に配置された緊締部Ａと、腰椎からウエストラインに沿って上前腸骨稜を通り臍下腹部に至る領域に配置された緊締部Ｂとを含み、前記緊締部Ｂにおいて、腰部の緊締部が、腹部の緊締部より高い位置に形成されている請求項１〜３のいずれか１項に記載の運動用衣服。
【請求項５】
前記運動用衣服は、足甲から腰部までを覆うように形成されたトレンカタイプの下半身部を有し、
前記緊締部が、さらに臀部下辺部に沿って大腿外側部と大腿前面部の近位１／３を含む領域に配置された緊締部Ａと、腰椎からウエストラインに沿って上前腸骨稜を通り臍下腹部に至る領域に配置された緊締部Ｂとを含み、前記緊締部Ｂにおいて、腰部の緊締部が、腹部の緊締部より高い位置に形成されている請求項１〜３のいずれか１項に記載の運動用衣服。
【請求項６】
前記緊締部Ａの身体の長軸方向における幅が３ｃｍ以上である請求項４又は５に記載の運動用衣服。
【請求項７】
股ぐり線上において、前身頃のウエストの上部ラインから内股までの縫製線の長さが、後身頃のウエストの上部ラインから内股までの縫製線の長さより３〜７．５ｃｍ短い請求項４〜６のいずれか１項に記載の運動用衣服。
【請求項８】
股ぐり線から体側に向けて平行６ｃｍ幅まで且つウエストの上部ラインから下２５ｃｍまでの領域内で、前記腹部の緊締部に対する前記腰部の緊締部の面積割合が５０〜７５％である請求項４〜７のいずれか１項に記載の運動用衣服。
【請求項９】
股部には、緊締部が配置されていない請求項１〜８のいずれか１項に記載の運動用衣服。
【請求項１０】
前身頃のパターンにおいて、ウエストからソケイ部中央付近にかけて前切り替え線があり、臀部から大腿部にかけて後ろ切り替え線があり、
前裾線と前記前切り替え線との交点をＮとし、
またぐリ線と内股切り替え線の交点Ｈから地の目に直行する線Ｉと前切り替え線との交点をＪとし、交点Ｊから下に引いた垂直線と交点Ｎから水平に引かれた直線の交点をＭとし、交点Ｊと交点Ｍ間の直線上において交点Ｊからの距離が交点Ｊと交点Ｍ間の距離の２／５に該当する位置から水平に引かれた線と前記前切り替え線の交点をＬとし、
前記後ろ切り替え線と後ろ裾線の交点をＯとし、交点Ｏからの垂直距離が５ｃｍの水平な線Ｐと前記前切り替え線との交点をＫとした場合、
交点Ｌ、Ｋ及びＮでなす角度が８５〜１０５°の範囲である請求項１〜９のいずれか１項に記載の運動用衣服。
【請求項１１】
前身頃のパターンにおいて、ウエストからソケイ部中央付近にかけて前切り替え線があり、前切り替え線とウエスト上端部の交点をＤとし、
股ぐリ線と内股切り替え線の交点Ａから地の目に直行する線Ｂと前切り替え線との交点をＣとし、
交点Ｃから下に引いた垂直線と前裾から水平に引かれた直線の交点をＦとし、交点Ｃと交点Ｆ間の直線上において交点Ｃからの距離が交点Ｃと交点Ｆ間の距離の２／５に該当する位置から水平に引かれた線と前記前切り替え線の交点をＥとした場合、
交点Ｄ、Ｃ及びＥでなす角度が１６０〜１７５°の範囲である請求項１〜１０のいずれか１項に記載の運動用衣服。
【発明の詳細な説明】
【技術分野】
【０００１】
本発明は、少なくとも足首から膝下までを被覆する部分を有する運動用衣服に関する。
【背景技術】
【０００２】
従来から、スポーツウェアについて、適切な素材を用いることで、運動をサポートする機能を持たせる研究が進められてきている。また、近年では、緊締力が強い部分を形成し、運動をサポートする機能を向上させたスポーツウェアが提案されている。例えば、特許文献１には、足の甲、土踏まず、足関節、足首を覆い、下肢上部に向かってその上段部は傾斜状になるよう形成した締圧部を具備する下肢用衣料が開示されている。また、特許文献２には、仙骨を固定するとともに股関節に外旋をかけてヒップを寄せるための第１サポート領域と、ヒップを上方に持ち上げるための第２サポート領域と、少なくとも大腿に圧力を加えるための第３サポート領域と、少なくとも内股に圧力を加えるための第４サポート領域とを含む着圧領域が設けられたトレンカが開示されている。
【先行技術文献】
【特許文献】
【０００３】
【特許文献１】特開２００８−５０７０５号公報
【特許文献２】実用新案登録第３１６１６９７号公報
【発明の概要】
【発明が解決しようとする課題】
【０００４】
しかし、特許文献１〜２に記載のスポーツウェアは、締圧部や着圧領域により、関節を安定に保っているが、ランニング時の快適なフォームのためにさらに改善することが望まれる。また、特許文献１に記載の下肢用衣料は、足全体に圧迫を加えており、着用感が損なわれるという問題がある。また、特許文献２に記載のトレンカは、股関節や膝関節を安定に保っているが、足関節を保護するためには更なる改善が必要となる。
【０００５】
本発明は、上記従来の問題を解決するため、快適なランニングのフォームを導くことができる運動用衣服を提供する。
【課題を解決するための手段】
【０００６】
本発明の運動用衣服は、身体にほぼ密着した状態で着用される運動用衣服であり、上記運動用衣服は、少なくとも足首から膝下までを被覆する部分を有し、伸縮性を有する生地で構成されており、トレンカタイプの下半身部上記運動用衣服は、緊締力の強い緊締部を有し、上記緊締部が、膝内側部から脹脛内側を通り、内果にかけて、膝蓋骨を含まず、膝の内側、脛骨の遠位１／２〜２／３及び足根骨内側を含む領域に配置された緊締部Ｚを含むことを特徴とする。
【発明の効果】
【０００７】
本発明の運動用衣服は、膝内側部から脹脛内側を通り、内果にかけて、膝蓋骨を含まず、膝の内側、脛骨の遠位１／２〜２／３及び足根骨内側を含む領域に緊締部を配置することにより、着用感を低下させずに、足首を固定し、ランニング時に足の屈曲を防ぐとともに、脹脛の使用を軽減させ、足がをスムーズに前に進むめることができる。
【図面の簡単な説明】
【０００８】
【図１】図１Ａは本発明の運動用衣服の一実施態様の正面図であり、図１Ｂは同背面図であり、図１Ｃは同外側面図である。
【図２】図２Ａは本発明の運動用衣服の他の一実施態様の正面図であり、図２Ｂは同背面図であり、図２Ｃは同外側面図である。
【図３】図３Ａは本発明の運動用衣服の他の一実施態様の正面図であり、図３Ｂは同背面図であり、図３Ｃは同外側面図である。
【図４】図４Ａは本発明の運動用衣服の他の一実施態様の正面図であり、図４Ｂは同背面図であり、図４Ｃは同外側面図である。
【図５】図５は本発明の運動用衣服の一実施態様における前身頃のパターンを説明する図である。
【図６】図６は本発明の運動用衣服の一実施態様における前身頃の他の一つのパターンを説明する図である。
【図７】図７は本発明の実施例１〜２及び比較例２における積分値筋電図のTukeyの方法による多重比較の結果を示すグラフである。
【発明を実施するための形態】
【０００９】
ランニングなどの運動において、足離地時には、脹脛を使って地面を蹴ることで前に進むようになり、特に女性はハムストリングスの筋力が弱いため、脹脛で走る傾向が強く、脹脛が大きくなることが懸念されている。また、足離地時には、特に女性は、関節が柔らいため足首の屈曲が見受けられる。本発明者らは、上記の問題を解決するため鋭意検討した結果、膝内側部から脹脛内側を通り、内果にかけて、膝蓋骨を含まず、膝の内側、脛骨の遠位１／２〜２／３及び足根骨内側を含む領域に緊締部を配置することで、着用感を低下させずに、足首を固定し、ランニング時に足の屈曲を防げるとともに、脹脛の使用を軽減できることを見出し、本発明に至った。
【００１０】
本発明において、「伸縮性を有する」とは、運動用衣服を構成する生地の身体の短軸方向における伸長率及び／又は身体の長軸方向における伸長率が０％を超えることを意味する。なお、本発明において、伸長率とは、ＪＩＳ  Ｌ  １０９６に準じて測定したものをいい、具体的には、荷重をかけていない状態の生地片の長さをＡとし、１５Ｎの荷重をかけた状態の生地片の長さをＢとした場合、（Ｂ−Ａ）／Ａ×１００で算出したものである。
【００１１】
また、本発明において、「ほぼ密着」の状態を作るには、人体の裸のサイズに対して、周囲方向は５０〜１１０％、より好ましくは７０〜９５％、丈は７５〜１００％、より好ましくは８５〜１００％として運動用衣服を形成する。もちろん人体のサイズは個人差があるので、前記の比率は目安である。より具体的には、ＪＡＳＰＯ規格に従ってサイズを決める。
【００１２】
本発明の運動用衣服は、少なくとも足首から膝下までを被覆する部分を有すればよく、特に限定されない。より効果的に足関節周辺をサポートし、接地前後の過回内を抑制し、腓腹筋の筋活動量を低減するという観点から、足甲を覆うように形成されているトレンカタイプや靴下タイプであることが好ましい。また、下半身全体にサポート感を与えるという観点から、足首から腰部までを覆うように形成された下半身部を有することが好ましく、足甲から腰部までを覆うように形成されたトレンカタイプ又は靴下タイプの下半身部を有することがより好ましい。
【００１３】
本発明の運動用衣服は、緊締力の強い緊締部を有する。通常、生地の伸長率が低いほど緊締力が強くなり、緊締力の強いとは、伸長率が低いことを意味する。上記緊締部を構成する生地の身体の長軸方向における伸長率（以下、単に長軸伸長率と記す。）が、緊締部を除くその他の部位（以下において、単に他の部位とも記す。）を構成する生地の長軸伸長率より、３０％以上低いことが好ましく、５０％以上低いことがより好ましく、７５〜１００％低いことがさらに好ましい。上記緊締部を構成する生地の長軸伸長率と他の部位を構成する生地の長軸伸長率の差が３０％以上であることにより、緊締部によるサポート感（緊締差感）を感じることができ、５０％以上であると、緊締部によるサポート感に優れる。
【００１４】
また、上記緊締部を構成する生地の長軸伸長率は、１０〜１２０％であることが好ましく、２０〜１００％であることがより好ましい。緊締部によるサポート感に優れるうえ、圧迫感がなく着用感にも優れるからである。
【００１５】
以下、図面に基づいて、本発明の運動用衣服を説明する。図１Ａは本発明の運動用衣服の一実施態様の正面図であり、図１Ｂは同背面図であり、図１Ｃは同外側面図である。図２Ａは本発明の運動用衣服の他の一実施態様の正面図であり、図２Ｂは同背面図であり、図２Ｃは同外側面図である。図３Ａは本発明の運動用衣服の他の一実施態様の正面図であり、図３Ｂは同背面図であり、図３Ｃは同外側面図である。図４Ａは本発明の運動用衣服の他の一実施態様の正面図であり、図４Ｂは同背面図であり、図４Ｃは同外側面図である。
【００１６】
図１〜４に示しているように、運動用衣服１０は、膝内側部から脹脛内側を通り、内果にかけて、膝蓋骨を含まず、膝の内側、脛骨の遠位１／２〜２／３及び足根骨内側を含む領域に配置された緊締部Ｚを有する。これにより、着用感を低下させずに、足首を固定し、ランニング時の足首の屈曲を防いで脹脛の使用を低減させ、スムーズなフォームで足を前に進めることができる。また、ランニング時の余分なニ−インを防ぐことができ、膝への負担を軽減できる。本発明において、「脛骨の遠位１／２〜２／３」とは、身体前面から見た脛骨の体長方向における足首部から始まって膝関節までの距離のおよそ半分から３分の２までの範囲をいう。なお、図１〜４に示している運動用衣服１０は、足首から腰部までを覆うように形成された下半身部を有しており、さらに図２及び図４に示している運動用衣服１０は、足甲から腰部までを覆うように形成されたトレンカタイプの下半身部を有する。
【００１７】
また、運動用衣服１０は、図３〜４に示すように、さらに臀部下辺部に沿って大腿外側部と大腿前面部の近位１／３を含む領域に配置された緊締部Ａと、腰椎からウエストラインに沿って上前腸骨稜を通り臍下腹部に至る領域に配置された緊締部Ｂとを有することが好ましい。本発明において、「大腿前面部の近位１／３」とは、身体前面から見た大腿部の体長方向における大腿部の付け根から始まって膝関節までの距離のおよそ３分の１までの範囲をいう。なお、運動用衣服１０において、緊締部Ａと緊締部Ｂは繋がっていてもよい。これにより、骨盤を前傾させることができ、ランニング時に足が前に進みやすくなる。また、ランニング時に、足接地位置が身体の重心より前にあるとブレーキになる可能性があるが、上記のように骨盤を前傾させることで、足接地位置と身体の重心位置を近接させ、力をより効果的に地面に伝え、足がスムーズに前に進むことができる。
【００１８】
運動用衣服１０において、緊締部Ａの身体の長軸方向における幅は３ｃｍ以上であることが好ましく、５．５〜１２ｃｍであることがより好ましい。サポート感に優れるうえ、圧迫感がなく着用感にも優れるからである。なお、本発明において、緊締部Ａの身体の長軸方向における幅とは、大腿外側部において測定するものであり、図３〜４に示しているように、臀部下辺部から下方に向けて形成された緊締部Ａの身体の長軸方向における縫製ライン上の幅Ｙをいう。
【００１９】
また、図３〜４に示しているように、緊締部Ｂにおいて、腰部の緊締部Ｂ２が、腹部の緊締部Ｂ１より高い位置に形成されている。これにより、ランニング時に、骨盤を前傾させることができ、それゆえ足接地位置と身体の重心位置を近接させることもできる。また、運動用衣服１０は、股ぐり線上において、前身頃のウエストの上部ラインから内股までの縫製線ＸＩの長さが、後身頃のウエストの上部ラインから内股までの縫製線ＸＩＩの長さより、３〜８ｃｍ短いことが好ましく、３〜７．５ｃｍ短いことがより好ましい。腰部及び腹部に対するサポート感に優れるうえ、圧迫感がなく着用感にも優れるからである。
【００２０】
また、運動用衣服１０において、股ぐり線から体の外側に向けて平行６ｃｍ幅まで且つウエストの上部ラインから下２５ｃｍまでの領域内で、腹部の緊締部Ｂ１に対する腰部の緊締部Ｂ２の面積割合Ｂ２／Ｂ１（以下において、単に腹部の緊締部に対する腰部の緊締部の面積割合と記す。）が、５０〜７５％であることが好ましく、５５〜７０％であることがより好ましい。腰部及び腹部に対するサポート感に優れるうえ、圧迫感がなく着用感にも優れるからである。
【００２１】
また、運動用衣服１０において、着用感の観点から、股部には緊締部が配置されていないことが好ましい。
【００２２】
また、運動用衣服１０は、図５に示しているように、前身頃のパターンにおいて、ウエストからソケイ部中央付近にかけて前切り替え線１１があり、臀部から大腿部にかけて後ろ切り替え線２１があり、前裾線２２と前切り替え線１１との交点をＮとし、またぐリ線と内股切り替え線の交点Ｈから地の目に直行する線Ｉと前切り替え線１１との交点をＪとし、交点Ｊから下に引いた垂直線２３と交点Ｎから水平に引かれた直線２４の交点をＭとし、交点Ｊと交点Ｍ間の直線２３上において交点Ｊからの距離が交点Ｊと交点Ｍ間の距離の２／５に該当する位置から水平に引かれた直線２５と前切り替え線１１の交点をＬとし、後ろ切り替え線２１と後ろ裾線２６の交点をＯとし、交点Ｏからの垂直距離が５．５ｃｍの水平な直線Ｐと前切り替え線１１との交点をＫとした場合、交点Ｌ、Ｋ及びＮでなす角度Ｑが８５〜１０５°の範囲であることが好ましく、９０〜１００°であることがより好ましい。足首部に対するサポート感に優れるうえ、圧迫感がなく着用感に優れるからである。
【００２３】
また、運動用衣服１０は、図６に示しているように、前身頃のパターンにおいて、ウエストからソケイ部中央付近にかけて前切り替え線１１があり、前切り替え線１１とウエスト上端部の交点をＤとし、股ぐリ線と内股切り替え線の交点Ａから地の目に直行する線Ｂと前切り替え線１１との交点をＣとし、交点Ｃから下に引いた垂直線１２と前裾から水平に引かれた直線１３の交点をＦとし、交点Ｃと交点Ｆ間の直線１２上において交点Ｃからの距離が交点Ｃと交点Ｆ間の距離の２／５に該当する位置から水平に引かれた直線１４と前切り替え線１１の交点をＥとした場合、交点Ｄ、Ｃ及びＥでなす角度Ｇが１６０〜１７５°の範囲であることが好ましく、１６５〜１７０°であることがより好ましい。腰に対するサポート感に優れるうえ、圧迫感がなく着用感に優れるからである。
【００２４】
本発明において、生地としては、伸縮性を有するものであればよく、特に限定されず、例えば織物、編物などの通常の衣服用生地を用いることができる。織物としては、例えば平織、斜文織、朱子織、変化平織、変化斜文織、変化朱子織、変わり織、紋織、片重ね織、二重組織、多重組織、経パイル織、緯パイル織、絡み織などが挙げられる。編物としては、例えば丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織などが挙げられる。上記生地は、目付けが１２０〜２８０ｇ／ｍ2の範囲が好ましく、より好ましくは１４０〜２５０ｇ／ｍ2の範囲、さらに好ましくは１６０〜２３０ｇ／ｍ2の範囲である。上記の範囲であれば、運動機能を損なわず、耐久性も良く、軽くて動きやすい利点がある。また、上記生地は、エラストマー樹脂又はゴムにより含浸或いはプレス処理されたものでもよい。エラストマー樹脂としては、ウレタン系エラストマー、軟質塩化ビニル系エラストマー、スチレン系エラストマー、オレフィン系エラストマー、エステル系エラストマー、アミド系エラストマー、塩素化ポリエチレン系エラストマー、Ｓｙｎ−１，２−ポリブタジエン系エラストマー、Ｔｒａｎｓ−１，４−ポリイソプレン系エラストマー、フッ素系エラストマー等が挙げられる。ゴムとしては、シリコーンゴム、フッ素ゴム、ウレタンゴム、合成ゴム、天然ゴム等が挙げられる。また、上記生地は一枚であってもよく、異なる伸長率の二枚の生地を重ねたものであってもよい。
【００２５】
上記生地を構成する繊維としては、特に限定されず、例えばポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。
【００２６】
運動用衣服１０は、伸長率が異なる生地をそれぞれ用いて緊締部と他の部位を構成してもよく、所定の伸長率の一種類の生地で衣服を作製した後、上記所定の伸長率と伸長率が異なる生地を裏打ちして緊締部を形成してもよい。また、“セーレンビスコマジック”（セーレン株式会社製）などのナイロン繊維糸とポリエステル繊維糸を引き揃えた特殊な生地を用いて、ポリエステル繊維のみを所定の位置で特殊溶剤にて溶かすことにより緊締部を形成してもよい。また、島精機製作所の“ホールガーメント”専用機を用いて、緊締部と他の部位を異なる繊維組成で編むことにより作製してもよい。中でも、着用感がより良好になるという観点から、運動用衣服１０は、“セーレンビスコマジック”（セーレン株式会社製）などの特殊な生地や島精機製作所の“ホールガーメント”専用機を用いて形成することが好ましい。
【実施例】
【００２７】
以下実施例を用いてさらに具体的に説明する。なお、本発明は下記の実施例に限定されるものではない。
【００２８】
（実施例１）
緊締部には長軸伸長率が２５％、身体の短軸方向における伸長率（以下、単に短軸伸長率と記す。）が６０％、目付けが２７０ｇ／ｍ2であるトリコット経編地（ポリエステル繊維３８質量％、ナイロン繊維３０質量％、ポリウレタン繊維３２質量％）を用い、他の部位には、長軸伸長率が１３０％、短軸伸長率が９０％、目付けが１８０ｇ／ｍ2であるトリコット経編地（ポリエステル繊維５４質量％、ポリウレタン繊維４６質量％）を用い、図４に示したようなトレンカタイプのランニングタイツを作製した。
【００２９】
（実施例２）
ランニングタイツのタイプを図３に示したようなトレンカなしにした以外は、実施例１と同様にしてランニングタイツを作製した。
【００３０】
（比較例１）
長軸伸長率が２２０％、短軸伸長率が１００％、目付けが１８０ｇ／ｍ2であるトリコット経編地（ポリエステル繊維８５質量％、ポリウレタン繊維１５質量％）を用いて、緊締部を有しない図４に示したようなランニングタイツを作製した。
【００３１】
実施例１及び比較例１のランニングタイツを、それぞれ５名の被験者に着用させ、ランニング時の各関節角度、進行方向成分における身体の重心と踵間の距離を下記のように測定し、その結果を下記表１に示した。また、実施例１〜２及び比較例１のランニングタイツを、それぞれ５名の被験者に着用させ、ランニング時の筋活動量を下記のように測定し、その結果を下記表１に示した。
【００３２】
（関節角度）
速度１０ｋｍ／ｈでランニング中の骨盤角度、膝角度及び足首角度を、右足を基準として測定した。具体的には、骨盤角度は、ソールが全面接地した状態における矢状面での仙骨と上前腸骨稜を結ぶ角度と定義しており、角度が大きい程骨盤が前傾していることになる。膝角度は、ソールが全面接地した状態における前額面での大転子と膝と足首を結ぶ角度と定義しており、膝を角度中心とした。なお、静止立位の角度を基準にした場合、プラスがニ−アウト、マイナスがニ−インとなる。足首角度は、遊脚期における前額面でのトゥとヒールを結ぶ角度と定義しており、遊脚期中の最大角度と最小角度を測定し、床面に対して垂直な時を０°として、プラスを外旋、マイナスを内旋とした。
【００３３】
（身体の重心と踵間の距離）
速度１０ｋｍ／ｈでランニング中の右足踵接地直後における重心と踵との進行方向成分の距離を測定した。
【００３４】
（筋活動量）
速度１０ｋｍ／ｈでのランニング中、下腿後部の腓腹筋外側頭のＥＭＧ（筋電図）を導出し、筋活動量を測定した。具体的には、まず得られた筋電図波形を全波整流し、三次のスプライン補間によって一の接地から次の接地までの１歩を１００％として規格化された時間で表して全歩数分のデータを平均した。最後に接地前２０％及び接地後の２０％の区間における積分値（積分値筋電図、ｉＥＭＧ）を求めて筋活動量の指標とした。これらの処理は被験者5名それぞれの３種類の異なるタイツ着用条件について行った。また、タイツ着用条件間の差の検定を一元配置分散分析にて行い、分散分析が有意であった為、Tukeyの方法による多重比較を行い、その結果を図７に示した。この際、危険率が５％未満を有意とした。
【００３５】
【表１】
2012127038.tif 000003
【００３６】
上記表１の結果から分かるように、実施例のランニングタイツを着用したほうが、ランニング時のトゥ−ヒール角度が０に近く、トゥ−ヒールが一直線上になりやすく、足首が屈曲せず、スムーズな足の運びができる。そして、図７から分かるように、実施例１における腓腹筋の筋活動量は、比較例１及び実施例２に比べて有意に低かった。実施例１におけるトレンカ構造により、足関節周辺がサポートされ、特に接地前後の過回内が抑制された結果、腓腹筋の筋活動量が低減されたと思われる。
【００３７】
また、全ての被験者において、実施例のランニングタイツを着用したほうが、ランニング時の膝角度が０に近く、静止立位時の角度との差が少なく、余分なニーインを防ぐことができ、膝の故障を抑制し得る。また、全ての被験者において、実施例のランニングタイツを着用したほうが、ランニング時の骨盤角度が大きく、骨盤が前傾している。また、骨盤が前傾することにより、身体の重心と踵間の距離が小さくなっており、すなわち足接地位置が身体の重心により近接しており、地面への力が伝わりやすく、スムーズな走りができる。また、地面への力が伝わりやすいことで、促進力が増し速く走ることもできると思われる。
【００３８】
（実施例３〜６）
下記表２に示した長軸伸長率を有する生地を、それぞれ緊締部及び他の部位に用い、実施例１と同様にして、実施例３〜６のランニングタイツを作製した。なお、実施例３〜６において、緊締部に用いた生地の短軸伸長率はいずれも６０％であり、他の部位に用いた生地の短軸伸長率はいずれも９０％であった。
【００３９】
実施例１〜６のランニングタイツを、それぞれ１０名の被験者に着用させ、ランニング時に緊締部による緊締差を感じるかを、以下のような５段階の基準で官能評価し、その結果を下記表２に示した。なお、表２には、各実施例における１０名の被験者の平均を示した。
【００４０】
＜緊締差感の官能評価＞
１  悪い
２  やや悪い
３  普通
４  良い
５  非常に良い
【００４１】
【表２】
2012127038.tif 000004
【００４２】
表２から分かるように、緊締部に用いた生地と他の部位に用いた生地の長軸伸長率の差が３０％以上であると緊締差を感じることができ、５０％以上であると緊締差感が良好になる。
【００４３】
（実施例７〜１２）
下記表３に示した長軸伸長率を有する生地を緊締部に用い、長軸伸長率が１３０％の生地を他の部位を用い、実施例１と同様にして、実施例７〜１２のランニングタイツを作製した。なお、実施例７〜１２において、緊締部に用いた生地の短軸伸長率はいずれも６０％であり、他の部位に用いた生地の短軸伸長率はいずれも９０％であった。
【００４４】
実施例１〜２、７〜１２のランニングタイツを、それぞれ１０名の被験者に着用させ、緊締部によるサポート感及び着脱と動き安さなどの着用感を、以下のような５段階の基準で官能評価し、その結果を下記表３に示した。なお、表３には、各実施例における１０名の被験者の平均を示した。
【００４５】
＜サポート感の官能評価＞
１  悪い
２  やや悪い
３  普通
４  良い
５  非常に良い
【００４６】
＜着用感の官能評価＞
１  悪い
２  やや悪い
３  普通
４  良い
５  非常に良い
【００４７】
【表３】
2012127038.tif 000005
【００４８】
表３から分かるように、緊締部に用いる生地の長軸伸長率が１０〜１２０％であるとサポート感と着用感のいずれも良好であり、２０〜１００％であるとサポート感及び着用感が非常に良好になる。
【００４９】
（実施例１３〜１９）
股ぐり線上において、前身頃のウエストの上部ラインから内股までの縫製線ＸＩの長さと、後身頃のウエストの上部ラインから内股までの縫製線ＸＩＩの長さの差（以下において、「骨盤部における前後差」とも記す。）を、下記表４に示した値にした以外は、実施例１と同様にして、実施例１３〜１９のランニングタイツを作製した。なお、実施例１において、骨盤部における前後差は４．３ｃｍであった。
【００５０】
実施例１〜２、１３〜１９のランニングタイツを、それぞれ１０名の被験者に着用させ、腰部及び腹部の着用感及びサポート感を、上記のように官能評価し、その結果を下記表４に示した。なお、表４には、各実施例における１０名の被験者の平均を示した。
【００５１】
【表４】
2012127038.tif 000006
【００５２】
上記表４から分かるように、骨盤部における前後差が３〜８ｃｍであると、腰部及び腹部のサポート感に優れ、３〜７．５ｃｍであると腰部及び腹部のサポート感に優れるうえ着用感も良好である。
【００５３】
（実施例２０〜３１）
緊締部Ａの身体の長軸方向における幅を、下記表５に示した値にした以外は、実施例１と同様にして、実施例２０〜３１のランニングタイツを作製した。なお、実施例１において、緊締部Ａの身体の長軸方向における幅は５．９ｃｍであった。
【００５４】
実施例１〜２、２０〜３１のランニングタイツを、それぞれ１０名の被験者に着用させ、臀部下辺部及び大腿部の着用感及びサポート感を、上記のように官能評価し、その結果を下記表５に示した。なお、表５には、各実施例における１０名の被験者の平均を示した。
【００５５】
【表５】
2012127038.tif 000007
【００５６】
上記表５から分かるように、緊締部Ａの身体の長軸方向における幅が３ｃｍ以上であると、臀部下辺部及び大腿部のサポート感に優れるうえ着用感も良好であり、５．５〜１２ｃｍであると臀部下辺部及び大腿部の着用感とサポート感が非常に良好になる。
【００５７】
（実施例３２〜３６）
腹部の緊締部Ｂ１に対する腰部の緊締部Ｂ２の面積割合Ｂ２／Ｂ１を、下記表６に示した値にした以外は、実施例１と同様にして、実施例３２〜３６のランニングタイツを作製した。なお、実施例１において、腹部の緊締部に対する腰部の緊締部の面積割合は５５．６％であった。
【００５８】
実施例１〜２、３２〜３６のランニングタイツを、それぞれ１０名の被験者に着用させ、腰部及び腹部における着用感及びサポート感を、上記のように官能評価し、その結果を下記表６に示した。なお、表６には、各実施例における１０名の被験者の平均を示した。
【００５９】
【表６】
2012127038.tif 000008
【００６０】
上記表６から分かるように、腹部の緊締部に対する腰部の緊締部の面積割合が５０〜７５％であると、腰部及び腹部のサポート感に優れるうえ着用感も良好であり、５５〜７０％であると腰部及び腹部の着用感とサポート感が非常に良好になる。
【００６１】
（実施例３７〜４２）
角度Ｑを、下記表７に示した値にした以外は、実施例１と同様にして、実施例３７〜４２のランニングタイツを作製した。なお、実施例１において、角度Ｑは９６．７°であった。
【００６２】
実施例１、３７〜４２のランニングタイツを、それぞれ１０名の被験者に着用させ、足首部の着用感及びサポート感を、上記のように官能評価し、その結果を下記表７に示した。なお、表７には、各実施例における１０名の被験者の平均を示した。
【００６３】
【表７】
2012127038.tif 000009
【００６４】
上記表７から分かるように、角度Ｑが８５〜１０５°であると、足首部の着用感及びサポート感のいずれも良好であり、９０〜１００°であると足首部の着用感及びサポート感が非常に良好になる。
【００６５】
（実施例４３〜４７）
角度Ｇを、下記表８に示した値にした以外は、実施例１と同様にして、実施例４３〜４７のランニングタイツを作製した。なお、実施例１において、角度Ｇは１６９．７°であった。
【００６６】
実施例１〜２、４３〜４７のランニングタイツを、それぞれ男女１０名の被験者に着用させ、腰部の着用感及びサポート感を、上記のように官能評価し、その結果を下記表８に示した。なお、表８には、各実施例における１０名の被験者の平均を示した。
【００６７】
【表８】
2012127038.tif 000010
【００６８】
上記表８から分かるように、角度Ｇが１６０〜１７５°であると、腰部の着用感及びサポート感のいずれも良好であり、１６５〜１７０°であると腰部の着用感及びサポート感が非常に良好になる。
【符号の説明】
【００６９】
１０  運動用衣服
Ｚ、Ａ、Ｂ、Ｂ１、Ｂ２  緊締部
ＸＩ、ＸＩＩ  縫製線
【図１】
2012127038.tif 000011
【図２】
2012127038.tif 000012
【図３】
2012127038.tif 000013
【図４】
2012127038.tif 000014
【図５】
2012127038.tif 000015
【図６】
2012127038.tif 000016
【図７】
2012127038.tif 000017